(57)【特許請求の範囲】
【請求項１】
昇降路に立設されたガイドレールの各階位置に、当該ガイドレールに直交するように第1の締結具を用いて締結された取付腕と、
長穴を有し、当該長穴に第２の締結具を係合させることにより、上記取付腕に締結された被検出板と、
かご室を支持して上記昇降路を昇降するかご枠に設置され、上記被検出板と係合すると、上記かご室の位置を検出する位置検出器と、
上記かご室の側面の内上記かご枠のある側面のほぼ中央部に開口する窓穴と、
上記窓穴を開閉する扉と、
を備え、
上記かご枠は、位置検出装置と被検出板とが係合したときの取付腕に対応する位置に切欠きを有し、
上記窓穴の位置を上記位置検出器と上記被検出板との係合位置に対応する位置に設定したことを特徴とするエレベーターの位置検出装置。
【請求項２】
窓穴を、係合状態にある位置検出器及び被検出板に対してかご室内から触手し得る大きさとしたことを特徴とする請求項１記載のエレベーターの位置検出装置。
【請求項３】
扉が窓穴を閉塞していることを検出する扉スイッチと、この扉スイッチが上記窓穴の閉塞を検出していないときはかご室の走行を阻止する走行阻止手段とを設けたことを特徴とする請求項１又は２に記載のエレベーターの位置検出装置。
【請求項４】
扉のかご室内側と扉スイッチとを覆う化粧板を着脱可能に設けたことを特徴とする請求項３記載のエレベーターの位置検出装置。
【発明の詳細な説明】
【０００１】
【発明の属する技術分野】
この発明は、エレベーターのかご位置を、位置検出器と被検出板との係合によって検出する装置に関するものである。
【０００２】
【従来の技術】
図５は従来のエレベーターの位置検出装置を示すかご室の斜視図である。
かご室３はかご枠１に支持されて昇降路内を昇降する。かご室３の上部には、発光・受光素子を利用した光透過形スイッチからなる位置検出器１３が設置されている。そして、昇降路にはガイドレール１５が立設されており、ガイドレール１５には各階ごとに被検出板が設置されている。
【０００３】
従来のエレベーターの位置検出装置は上記のように構成され、かご室３の走行により、位置検出器１３が被検出板１８と係合すると、位置検出器１３の光が遮断され、その信号によって、かご室３が着床位置に来たかが検出される。
このようなエレベーターの位置検出装置を使用するためには、あらかじめ位置検出器１３の取付け位置の調整をしておかなければならない。
【０００４】
これは、一般に要求されるエレベーターの着床精度よりも、各階の高さの精度が粗いため、各階ごとに着床位置の確認をしなければならないからである。その調整手順は、かご室３の敷居１４を乗場床面と一致させ、そのとき位置検出器１３と被検出板１８との係合位置が所定位置に来るように、その取付位置を調整することにより実施される。
【０００５】
【発明が解決しようとする課題】
上記のような従来のエレベーターの位置検出装置では、位置検出器１３と被検出板１８との係合状態を調整するようにしているため、作業者の一人がかご室３の敷居１４の位置を確認し、他の一人がかご室３の上で位置検出器１３と被検出板１８の位置を調整する作業を各階ごとに実施している。これは非常に手間が掛かり、かご室３上の作業であるため、作業進行上細心の注意を払う必要があるという問題点がある。
【０００６】
また、位置検出装置１３をかご室３の下部、例えば敷居１４の高さに設置するものもあるが、かご戸の方式に左右され、片引き戸方式は適用できるが、中央両引き戸の場合には設置する空間がなく適用することができない。またこの場合、低姿勢で据付調整作業をしなければならず、作業者の身体的負担が大きく、作業効率が悪いなどの問題点がある。
【０００７】
この発明は上記問題点を解消するためになされたもので、作業者が容易に、かつ身体的負担も少なく位置検出器の据付・調整ができるようにしたエレベーターの位置検出器を提供することを目的とする。
【０００８】
【課題を解決するための手段】
この発明の第１発明に係るエレベーターの位置検出装置は、かご室の側面の内かご枠のある側面のほぼ中央部に窓穴と、この窓穴を開閉する扉を設け、この窓穴の位置をかご枠に設置された位置検出器と、ガイドレールの取付腕に締結された被検出板との係合位置に対応する位置に設定したものである。
【０００９】
また、第２発明に係るエレベーターの位置検出装置は、第１発明のものにおいて、窓穴を、係合状態にある位置検出器及び被検出板に対してかご室内から触手し得る大きさとしたものである。
【００１０】
また、第３発明に係るエレベーターの位置検出装置は、第１発明のものにおいて、扉が窓穴を閉塞していることを検出する扉スイッチを設け、この扉スイッチが窓穴の閉塞を検出していないときは、かご室の走行を阻止するようにしたものである。
【００１１】
また、第４発明に係るエレベーターの位置検出装置は、第３発明のものにおいて、化粧板を着脱可能に設けて、扉のかご室内側と扉スイッチとを覆うようにしたものである。
【００１２】
また、第５発明に係るエレベーターの位置検出装置は、第１発明のものにおいて、かご枠に切欠きを形成し、これを位置検出器と被検出板とが係合したときの取付腕に対応する位置にしたものである。
【００１３】
【発明の実施の形態】
実施の形態１．
図１〜図４はこの発明の第１〜第５発明の一実施の形態を示す図で、図１は図２の窓穴部をかご内から見た拡大図、図２はかご室の斜視図、図３は図１のＩＩＩ―ＩＩＩ線断面図、図４は扉スイッチ回路図であり、図中同一符号は同一部分を示す。
【００１４】
図１〜図３において、１は横断面コ字状の長手部材が互いに結合されてロ字状に形成されたかご枠で、その両側部のほぼ中央部に切欠き２が形成されている。３はかご枠２に支持されたかご室、４はかご室３の側面板、５はかご枠２の一部を構成し、かご室３の出入口側に立設された立柱、６は切欠き２に対応する側面板４に開口する窓穴、７は一側がヒンジ８で側面板４に枢着され窓穴６を開閉する扉で、施錠を確認する扉スイッチ９が設けられている。
【００１５】
１０は窓穴６の上部及び下部に配置され、側面板４に固着された横断面Ｌ字状の案内具、１１は上端部及び下端部が案内具１０に着脱可能に支持され扉７のかご内側及び扉スイッチ９を覆う化粧板、１２は一端が立柱５に固定され他端が窓穴６側に突出する取付具、１３は取付具１２の他端に固定され発光素子及び受光素子を利用して構成された光透過形スイッチからなる位置検出器、１４はかご戸（図示しない）の開閉を案内する敷居である。
【００１６】
１５は昇降路に沿って固定され、かご枠１の両側部に対応して配置されてかご枠１の昇降を案内するガイドレール、１６はガイドレール１５に直交して配置され締結具１７で締結された取付腕、１８は各階に配置され、横断面Ｌ字状の長手部材で形成され、その一辺は位置検出器１３と係合し、他辺に長穴１９を有する被検出板で、この長穴１９を通じて締結具２０で取付腕１６に締結されている。なお、Ａはかご室３内の方向を示す矢印である。
【００１７】
図４において、２５はかご戸が開いていると開放し、閉まっていると閉成するドアスイッチ、２６は制御装置（扉スイッチ７と共に走行阻止手段を構成）で、扉スイッチ９はドアスイッチ２５と直列に接続されて制御回路２６に接続されている。
上記のように構成されたエレベーターの位置検出装置においては、かご室３が走行して階床に接近すると、被検出板１８と位置検出器１３が係合して、被検出板１８が位置検出器１３の光を遮断し、その信号によって、かご室３が着床位置に来たかが検出される。
【００１８】
次に、この実施の形態による据付・調整作業を説明する。
平常時、扉７は窓穴６を閉塞しており、かつ施錠されているため、扉スイッチ９は閉成している。また、かごドアが閉じていればドアスイッチ２５も閉成している。これで、制御回路２６によるエレベーターの運転が可能となる。
作業者は、かご室３を走行させて階床に着床させ、扉７を解錠して扉７を開く。これで、扉スイッチ９は開放するため、エレベーターの運転は不能となる。
【００１９】
作業者は、かご枠１の切欠き２の位置に相当するガイドレール１５に、取付腕１６を締結具１７を用いて締結する。その後、取付腕１６の端部（図１では右端部）に、被検出板１８を長穴１９を介して締結具２０により取り付け、位置検出器１３との係合位置関係を調整する。
上記据付・調整が完了すれば、扉７を閉塞して施錠する。これで、再び扉スイッチ９は閉成し、エレベーターの運転は可能となる。
【００２０】
このようにして、窓穴６は位置検出器１３と被検出板１８との係合位置に対応し、かつ位置検出器１３及び被検出板１８に対して、かご室３内から触手し得る大きさとなっているため、作業者はかご室３内から窓穴６を通じて位置検出器１３と被検出板１８との据付・調整を容易に実施することが可能となる。また、扉７が開いている間は、かご室３の走行は阻止されるため、作業者は安心して作業をすることが可能である。また、扉７が閉まると、外観を考慮した化粧板１１により扉７及び扉スイッチ９が覆われるため、かご室３内の見栄えもよく、乗客によるいたずらも防止可能となる。
【００２１】
また、かご枠１の切欠き２は取付腕１６に対応する位置に形成されているため、取付碗１６のガイドレール１５への締結を容易にすることが可能である。
【００２２】
【発明の効果】
以上説明したとおりこの発明の第１発明では、かご室の側面の内かご枠のある側面のほぼ中央部に窓穴と、この窓穴を開閉する扉を設け、この窓穴の位置を、かご枠に設置された位置検出器と、ガイドレールの取付腕に締結された被検出板との係合位置に対応する位置に設定し、第２発明では、窓穴を、係合状態にある位置検出器及び被検出板に対してかご室内から触手し得る大きさとしたので、作業者はかご室内から窓穴を通じて位置検出器と被検出板との据付・調整を容易に実施することができる。
【００２３】
また、第３発明では、扉が窓穴を閉塞していることを検出する扉スイッチを設け、この扉スイッチが窓穴の閉塞を検出していないときはかご室の走行を阻止するようにしたので、作業者は安心して作業をすることができる。
【００２４】
また、第４発明では、化粧板を着脱可能に設けて、扉のかご室内側と扉スイッチとを覆うようにしたので、扉が閉まったとき、かご室内の見栄えもよく、乗客によるいたずらも阻止できる。
【００２５】
また、第５発明では、かご枠に切欠きを形成し、これを位置検出器と被検出板とが係合したときの取付腕に対応する位置にしたので、取付腕のガイドレールへの締結を容易にすることができる。
【図面の簡単な説明】
【図１】  この発明の実施の形態１を示す図で、図２の窓穴部をかご内から見た図。
【図２】  この発明の実施の形態１を示すかご室の斜視図。
【図３】  図１のＩＩＩ―ＩＩＩ線断面図。
【図４】  図１の扉スイッチの回路図。
【図５】  従来のエレベータの位置検出装置を示すかご室の斜視図。
【符号の説明】
１  かご枠、２  切欠き、３  かご室、４  かご室の側面板、６  窓穴、７  扉、９  扉スイッチ、１０  案内具、１１  化粧板、１３  位置検出器、１５  ガイドレール、１６  取付腕、１７  締結具、１８  被検出板、２０  締結具、２６  走行阻止手段（制御回路）
【図１】
0004390952.tif 000002
【図２】
0004390952.tif 000003
【図３】
0004390952.tif 000004
【図４】
0004390952.tif 000005
【図５】
0004390952.tif 000006